【事件の表示】
　特願２０００−１１５２３６「遊技機」拒絶査定不服審判事件〔平成１３年１０月２３日出願公開、特開２００１−２９３１７６〕について、次のとおり審決する。
【結　論】
　本件審判の請求は、成り立たない。
【理　由】
１．手続の経緯
　本願は、平成１２年４月１７日の出願であって、平成１５年１０月８日付けで拒絶査定がなされ、これに対し、同年１１月１３日に拒絶査定に対する審判が請求されるとともに、同年１２月４日付けで手続補正がなされたものである。
　
２．平成１５年１２月４日付けの手続補正についての補正却下の決定
［補正却下の決定の結論］
　　平成１５年１２月４日付けの手続補正（以下、「本件補正」という。）を却下する。
　
［理由］
・補正後の本願発明
　本件補正により、特許請求の範囲の請求項１は、
「遊技盤(3) に、ケース本体(19)の上部に開口(25)を、内部に複数個の入賞口(22)〜(24)を夫々有する入賞手段(13)を備え、
遊技球の検出に関連して抽選する抽選手段(34)と、
該抽選手段(34)での抽選結果を判定する抽選結果判定手段(35)と、
該抽選結果判定手段(35)で特別判定結果があった場合に遊技者に有利な特別遊技状態を発生する特別遊技状態発生手段(37)とを備えた遊技機であって、
前記抽選結果に遊技者に有利な結果を導出し易い特定抽選状態(34b) と、
前記抽選結果に遊技者に有利な結果を導出し難い非特定抽選状態(34c) とに区分してその何れかを発動する抽選状態区分手段(38)を備え、
該抽選状態区分手段(38)は、
前記開口(25)から前記ケース本体(19)内に入った遊技球が前記入賞口(22)に入賞することを条件に前記特定抽選状態(34b) を、
他の前記入賞口(23)(24)に入賞することを条件に前記非特定抽選状態(34c) を夫々発動するようにしたことを特徴とする遊技機。」
と補正された。
　すなわち、本件補正により、請求項１に係る発明の「前記特別遊技状態の発生及び／又は終了とは異なる状況で、・・・特定抽選状態(34b)と、・・・非特定抽選状態(34c)とに区分してその何れかを発動する」という構成を、「遊技球が前記入賞口(22)に入賞することを条件に前記特定抽選状態(34b) を、他の前記入賞口(23)(24)に入賞することを条件に前記非特定抽選状態(34c) を夫々発動する」という構成としている。
　この構成について本件補正の前後を比較すると、本件補正前は「前記特別遊技状態の発生及び／又は終了とは異なる状況で」という条件が付されていたのに対し、本件補正後には「前記特別遊技状態の発生及び／又は終了とは異なる状況で」という条件とは関係なく、「特定抽選状態(34b)」及び「非特定抽選状態(34c)」の発動条件を限定しているため、「特定抽選状態(34b)」又は「非特定抽選状態(34c)」の発動条件として本件補正前の請求項１に係る発明には含まれなかった部分の一部が本件補正後の請求項１に係る発明には含まれている。
　よって、前記補正事項は、平成１８年改正前特許法第１７条の２第４項第２号の特許請求の範囲の減縮を目的とするものには当たらない。
　また、前記補正事項は、請求項の削除、誤記の訂正、明りょうでない記載の釈明のいずれでもないことが明らかであるから、同法第１７条の２第４項第１号、同項第３号、同項第４号に掲げるいずれの事項を目的とするものにも該当しない。
　したがって、本件補正は、同法第１７条の２第４項の規定に違反するものであり、同法第５３条第１項の規定により却下されるべきものである。
　
　なお、前記補正事項が、同法第１７条の２第４項第２号の特許請求の範囲の減縮を目的とするものであるとしても、以下に示すとおり、本件補正後の請求項１に係る発明（以下、「本願補正発明」という。）は、特許法第２９条２項の規定により、特許出願の際独立して特許を受けることができないので、本件補正は却下されるべきものである。
　
（１）引用文献
　原査定の拒絶の理由に引用された特開２０００−０６１０５８号公報（以下、引用文献という。）には、パチンコ遊技機について、図面とともに、
【請求項１】  遊技盤面に遊技球の落入口を備えた特別入賞装置と、図柄が変動される図柄表示装置と、遊技球の落入によって該図柄表示装置の図柄変動を起動させる図柄変動作動口と、「大当たり」状況の発生に伴って開放される電動役物である大入賞口とを備えるパチンコ遊技機において、特別入賞装置には前記落入口を介して落入した遊技球が入賞可能な特別入賞領域を備え、該特別入賞領域への遊技球の落入により「大当たり」状況が発生し前記大入賞口が開放される遊技状況を設定制御する第一の大当たり発生制御手段と、前記図柄変動作動口への遊技球の落入により図柄変動される図柄表示装置の停止図柄が予め設定された「大当たり」図柄と一致することにより「大当たり」状況が発生し前記大入賞口が開放される遊技状況を設定制御する第二の大当たり発生制御手段とを備えることを特徴とするパチンコ遊技機。
【請求項５】  前記図柄表示装置が「大当たり」図柄を表示する抽選確率の高い最高確率状態と抽選確率の低い最低確率状態とを有すると共に、これらの抽選確率が所定の遊技状況の発生を契機に切換設定される抽選確率切換制御手段と、該抽選確率切換制御手段による抽選確率の移行時に前記図柄表示装置の図柄変動時間を短縮又は延長して切換設定する図柄変動時間切換設定手段とを備えることを特徴とする請求項１、２、３又は４に記載のパチンコ遊技機。
【００２４】図３は、前記特別入賞装置４０の構成を示した詳細図である。前記特別入賞装置４０は、その周囲を囲う枠体４１の頂部に遊技盤１４面を転動落下してくる遊技球が該特別入賞装置４０の内部へ落入可能なように、遊技球１個分の大きさよりもやや大きめの入賞口（落入口）４４が設けられ、該枠体４１の内部空間には、モータの駆動により図中矢示した一定方向に回転される回転体４６が設けられている。
【００２５】この回転体４６は、中央部分が盛り上がった円盤状をなし、その周縁には前記入賞口４４より枠体４１内に落入してきた遊技球が１個ずつ係留可能な円弧形状の切欠係入孔４２，４２・・が複数（本実施例では４箇所）設けられている。そして、該回転体４６の下側には、該切欠係入孔４２，４２に受止された遊技球が落入可能な特定領域入賞口４８と普通領域入賞口４９が設けられる。この場合、特定領域入賞口４８は遊技球の落入により該遊技機の「大当たり」が発生する入賞口であり、該普通領域入賞口４９は「大当たり」は発生しない入賞口ということになる。
【００３１】前記「大当たり」図柄の組合せは、表１（ａ）に示したように左右の図柄５１ａ、５１ｃが「０」〜「９」の何れかの数字で一致し、真中の図柄５１ｂが「Ｌ」である場合（非特定図柄）と、表１（ｂ）に示したように各図柄５１ａ、５１ｂ、５１ｃが全て同一図柄である場合（特定図柄）である場合の２種類が設定される。本遊技機では、表１（ａ）及び（ｂ）に示した「大当たり」図柄のうち、何れかの図柄が表示される抽選確率として最低確率（１／３２０）状態と最高確率（１／５０）状態の２種類が設定される。
【００３２】前記抽選確率は、遊技開始時には最低確率（１／３２０）状態が設定される。そして、特別図柄表示装置５１に表示された図柄の組合せが前記表１（ｂ）に示す「特定図柄」の何れかの組合せであった場合は、以後の遊技状況における抽選確率は最高確率（１／５０）状態が設定され、更に特別図柄表示装置５１の各図柄５１ａ、５１ｂ、５１ｃが変動を開始してから停止するまでの図柄変動時間が５．８秒間から５．０秒間に短縮される。但し、表示された図柄の組合せが表１（ａ）に示す「非特定図柄」の何れかの組合せであった場合は、以後の遊技状況における抽選確率は最低確率（１／３２０）状態が設定され、又前記図柄変動時間も５．８秒間が設定されることになる。
　
との記載が認められ、これらの記載によれば、引用文献には、
「遊技盤面に、枠体４１の頂部に入賞口４４を、内部空間に特定領域入賞口４８と普通領域入賞口４９を夫々有する特別入賞装置４０を備え、
図柄変動作動口への遊技球の落入により図柄変動される図柄表示装置の停止図柄が予め設定された「大当たり」図柄と一致することにより「大当たり」状況が発生し大入賞口５０が開放される遊技状況を設定制御する第二の大当たり発生制御手段と、
「大当たり」状況の発生に伴って開放される大入賞口５０とを備えたパチンコ遊技機であって、
前記図柄表示装置が「大当たり」図柄を表示する抽選確率の高い最高確率状態と抽選確率の低い最低確率状態とを有すると共に、これらの抽選確率が所定の遊技状況の発生を契機に切換設定される抽選確率切換制御手段を備え、
該抽選確率切換制御手段は、
特別図柄表示装置５１に表示された図柄の組合せが「特定図柄」の何れかの組合せであった場合は最高確率状態を、
特別図柄表示装置５１に表示された図柄の組合せが「非特定図柄」の何れかの組合せであった場合は最低確率状態を、
夫々設定するようにしたパチンコ遊技機。」
の発明（以下「引用発明」という。）が開示されていると認めることができる。
　
（２）対比
　そこで、本願補正発明と引用発明とを比較すると、引用発明の「遊技盤面」は、本願補正発明の「遊技盤(3) 」に相当し、以下同様に、「枠体４１の頂部」は「ケース本体(19)の上部」に、「入賞口４４」は「開口(25)」に、「内部空間」は「内部」に、「特定領域入賞口４８と普通領域入賞口４９」は「複数個の入賞口(22)〜(24)」に、「特別入賞装置４０」は「入賞手段(13)」に、「「大当たり」状況の発生に伴って開放される大入賞口５０」は「該抽選結果判定手段(35)で特別判定結果があった場合に遊技者に有利な特別遊技状態を発生する特別遊技状態発生手段(37)」に、「前記図柄表示装置が「大当たり」図柄を表示する抽選確率の高い最高確率状態」は「前記抽選結果に遊技者に有利な結果を導出し易い特定抽選状態(34b) 」に、「抽選確率の低い最低確率状態」は「前記抽選結果に遊技者に有利な結果を導出し難い非特定抽選状態(34c) 」に、「これらの抽選確率が所定の遊技状況の発生を契機に切換設定される抽選確率切換制御手段」は「特定抽選状態(34b) と非特定抽選状態(34c) とに区分してその何れかを発動する抽選状態区分手段(38)」に、「パチンコ遊技機」は「遊技機」に、それぞれ相当する。
　また、引用発明における「図柄変動作動口への遊技球の落入により図柄変動される図柄表示装置の停止図柄が予め設定された「大当たり」図柄と一致することにより「大当たり」状況が発生し大入賞口５０が開放される遊技状況を設定制御する第二の大当たり発生制御手段」は、図柄変動作動口に遊技球が落入した時に図柄表示装置の停止図柄が予め設定され、該予め設定された停止図柄が「大当たり」図柄と一致するかを判定し、一致していた場合に大入賞口が開放されるように制御するものであって、図柄変動作動口に遊技球が落入した時に図柄表示装置の停止図柄が予め設定されることは、本願補正発明における「遊技球の検出に関連して抽選する」ことに相当し、該予め設定された停止図柄が「大当たり」図柄と一致するかを判定することは、本願補正発明における「該抽選手段での抽選結果を判定する」ことに相当し、「大当たり」図柄と一致していた場合に大入賞口が開放されることは、本願補正発明における「該抽選結果判定手段で特別判定結果があった場合に遊技者に有利な特別遊技状態を発生する」ことに相当するから、引用発明の「第二の大当たり発生制御手段」は、本願補正発明の「抽選手段(34)」と「抽選結果判定手段(35)」と「特別遊技状態発生手段(37)」の有する機能を兼ね備えたものと認められる。
　さらに、引用発明の「抽選確率切換制御手段」が有する、「特別図柄表示装置５１に表示された図柄の組合せが「特定図柄」の何れかの組合せであった場合は最高確率状態を、特別図柄表示装置５１に表示された図柄の組合せが「非特定図柄」の何れかの組合せであった場合は最低確率状態を、夫々設定する」機能と、
　本願補正発明の「抽選状態区分手段(38)」が有する、「前記開口(25)から前記ケース本体(19)内に入った遊技球が前記入賞口(22)に入賞することを条件に前記特定抽選状態(34b) を、他の前記入賞口(23)(24)に入賞することを条件に前記非特定抽選状態(34c) を夫々発動する」機能を対比すると、
「抽選状態区分手段」が「特定抽選状態又は非特定抽選状態を夫々発動する」点においては一致し、その発動の条件は相違している。
　
　以上を総合すると、両者は、
「遊技盤に、ケース本体の上部に開口を、内部に複数個の入賞口を夫々有する入賞手段を備え、
遊技球の検出に関連して抽選する抽選手段と、
該抽選手段での抽選結果を判定する抽選結果判定手段と、
該抽選結果判定手段で特別判定結果があった場合に遊技者に有利な特別遊技状態を発生する特別遊技状態発生手段とを備えた遊技機であって、
前記抽選結果に遊技者に有利な結果を導出し易い特定抽選状態と、
前記抽選結果に遊技者に有利な結果を導出し難い非特定抽選状態とに区分してその何れかを発動する抽選状態区分手段を備え、
該抽選状態区分手段は、
前記特定抽選状態又は非特定抽選状態を夫々発動するようにした遊技機。」
の点で一致し、以下の点で相違している。
　
［相違点］
　本願補正発明は、特定抽選状態(34b) を発動する条件及び非特定抽選状態(34c) を発動する条件が、
「前記特別遊技状態の発生及び／又は終了とは異なる状況で」、それぞれ「前記開口(25)から前記ケース本体(19)内に入った遊技球が前記入賞口(22)に入賞すること」及び「他の前記入賞口(23)(24)に入賞すること」であるのに対し、
　引用発明においては、上記条件が、
それぞれ「特別図柄表示装置５１に表示された図柄の組合せが「特定図柄」の何れかの組合せ」及び「特別図柄表示装置５１に表示された図柄の組合せが「非特定図柄」の何れかの組合せ」である点。
　
（３）判断
　拒絶査定において審査官が周知例として提示した特開平１１−２２６１９５号公報（以下、「文献２」という。）には、パチンコ機において、始動入賞口１２とは別の、特定入賞口１３ａ、または特定入賞口１３ｂのいずれかに球が入賞すると、図柄合わせゲームで当たりの出る確率を通常値よりも高い値に設定変更することが記載されている（特に、段落００６４、図２及び図５を参照）。
　また、当審において発見した特開平０５−３０５１７１号公報（以下、「文献３」という。）には、弾球遊技機において、権利発生遊技状態となっていないときに入賞玉が特定通過口５４を通過したときには、可変表示器３２ａ，３２ｂが特定表示結果となる確率を低確率から高確率に移行させ、入賞玉が通常通過口５５ａ，５５ｂを通過したときには、通常の入賞玉として処理される旨の記載がある（特に、段落００２２、図５及び図６を参照）。
　さらに、当審において発見した特開平０３−２１８７８１号公報（以下、「文献４」という。）には、弾球遊技機において、
「始動入賞口の種類によって、後述するように７セグメントＬＥＤ３６が特定遊技状態となる表示態様を表示する確率が異なるようになっている。具体的には、第１の始動入賞口５２ａ，５２ｂに打玉が入賞したときには、「７」だけが特定表示態様であると設定され、・・・セグメントＬＥＤ３６に「７」が表示されたときに大当り状態であると判定される。一方、第２の始動入賞口５３に打玉が入賞したときには、「７」に加えて「３」「５」も特定表示態様であると設定され、・・・７セグメントＬＥＤ３６に「７」「３」「５」が表示されたときに大当り状態であると判定される。」（第３頁右下欄下から４行〜第４頁左上欄下から６行）と記載されており、打玉が第２の始動入賞口５３に入賞したときは、第１の始動入賞口５２ａ，５２ｂに入賞したときに比べ、大当りとなる確率が高くなることが開示されている。
　すなわち、拒絶査定において審査官が指摘したように、遊技機の分野において、「複数の入賞口のいずれかに入賞することを条件に抽選状態区分手段を発動させること」が周知であるだけでなく、上記相違点として挙げた、特定抽選状態を発動する条件及び非特定抽選状態を発動する条件が、「特別遊技状態の発生及び／又は終了とは異なる状況で」、それぞれ「複数の入賞口のうちの一入賞口に入賞すること」及び「前記複数の入賞口のうちの他の入賞口に入賞すること」である点も、従来周知の技術である。
　そうしてみると、引用発明の特別入賞装置４０の有する複数の入賞口である特定領域入賞口４８と普通領域入賞口４９は、引用文献に記載された実施例においては、特定領域入賞口４８は「大当たり」が発生する入賞口であり、普通領域入賞口４９は「大当たり」が発生しない入賞口であるが、これらに大当たりの発生と関係のある上記周知技術を適用して、「特別遊技状態の発生及び／又は終了とは異なる状況で」、特定領域入賞口４８に入賞した場合に「大当たり」を発生させる代わりに最高確率状態に、普通領域入賞口４９に入賞した場合に「大当たり」を発生させない代わりに最低確率状態にするよう夫々設定して、本願補正発明のように構成することは、当業者が適宜実施し得る事項である。
　よって、上記相違点に係る本願補正発明の構成は、当業者が容易に想到し得たものというべきである。
　さらに、本願補正発明の作用効果も、引用発明及び従来周知の技術から当業者が予測できる範囲のものである。
　したがって、本願補正発明は、引用発明及び従来周知の技術に基づいて、当業者が容易に発明をすることができたものであるから、特許法第２９条第２項の規定により特許出願の際独立して特許を受けることができないものである。
　
３．本願発明について
（１）補正前の本願発明
　平成１５年１２月４日付けの手続補正は上記のとおり却下されたので、本願の請求項１に係る発明（以下、「本願発明」という。）は、平成１５年８月２８日付け手続補正書の特許請求の範囲の請求項１に記載された事項により特定される、以下のとおりのものである。
「遊技者の遊技に関連して抽選する抽選手段(34)と、
該抽選手段(34)での抽選結果を判定する抽選結果判定手段(35)と、
該抽選結果判定手段(35)で特別判定結果があった場合に遊技者に有利な特別遊技状態を発生する特別遊技状態発生手段(37)と、
複数個の入賞口(22)〜(24)を有する入賞手段(13)とを備えた遊技機であって、
前記特別遊技状態の発生及び／又は終了とは異なる状況で、
前記抽選結果に遊技者に有利な結果を導出し易い特定抽選状態(34b) と、
前記抽選結果に遊技者に有利な結果を導出し難い非特定抽選状態(34c) とに区分してその何れかを発動する抽選状態区分手段(38)を備え、
該抽選状態区分手段(38)は、
前記入賞手段(13)の複数個の入賞口(22)〜(24)の何れかに入賞することを条件に発動するようにしたことを特徴とする遊技機。」
　
（２）引用文献
　原査定の拒絶の理由に引用された引用文献及びその記載事項は、前記「２．（１）」に記載したとおりである。
　
（３）対比・判断
　本願発明は、前記２．（２）、（３）で検討した本願補正発明の「ケース本体(19)の上部に開口(25)を、内部に複数個の入賞口(22)〜(24)を夫々有する入賞手段(13)」を、上位概念の構成要件である「複数個の入賞口(22)〜(24)を有する入賞手段(13)」とするとともに、「抽選状態区分手段(38)」について、「前記開口(25)から前記ケース本体(19)内に入った遊技球が前記入賞口(22)に入賞することを条件に前記特定抽選状態(34b) を、他の前記入賞口(23)(24)に入賞することを条件に前記非特定抽選状態(34c) を夫々発動するようにした」に対して上位の概念である「前記入賞手段(13)の複数個の入賞口(22)〜(24)の何れかに入賞することを条件に発動するようにした」という構成要件としたものである。
　そうすると、本願発明の構成要件を全て含み、より下位概念の構成要件としたものに相当する本願補正発明が、前記「２．（３）」に記載したとおり、引用発明及び従来周知の技術に基づいて、当業者が容易に発明をすることができたものであるから、本願発明も、同様の理由により、引用発明及び従来周知の技術に基づいて、当業者が容易に発明をすることができたものである。
　
（４）その他の判断
　拒絶査定において審査官が周知例として提示し、前記２．（３）に記載した文献２（特開平１１−２２６１９５号公報）には、図柄合わせゲームを実行する画面遊技実行手段５０＜本願発明の「抽選手段(34)」に相当＞と、当たりの出現する無作為抽選を実行する手段＜本願発明の「抽選結果判定手段(35)」に相当＞と、特別価値発生手段３０＜本願発明の「特別遊技状態発生手段(37)」に相当＞と、複数個の特定入賞口１３ａ、１３ｂ＜本願発明の「入賞口(22)〜(24)」に相当＞を備えたパチンコ機であって、前記特定入賞口１３ａ、１３ｂのいずれかに球が入賞すると、前記図柄合わせゲームで当たりの出る確率を通常値よりも高い値に設定変更することが記載されている（特に、段落００６４〜００６８、図２及び図５を参照）。
　よって、本願発明は、文献２に記載されている発明に基づいて、当業者が容易に発明をすることができたものであるとも言える。
　
（５）むすび
　以上のとおり、本願発明は、引用発明及び従来周知の技術に基づいて、又は文献２に記載されている発明に基づいて、当業者が容易に発明をすることができたものであるから、特許法第２９条第２項の規定により特許を受けることができない。
　よって、結論のとおり審決する。